(57)【特許請求の範囲】
【請求項１】
ビールが収容されるビール樽からビールを容器に注ぐビールサーバーへビールを供給する透明又は半透明なビールホースを保持するとともに前記ビールホース内のビールの状態を視認するためのホース視認ホルダであって、
前記ビールホースの背景として配置される暗色をもつホース背景部と、
前記ビールホースを保持するホース保持部とを
有することを特徴とするホース視認ホルダ。
【請求項２】
前記ホース背景部は黒色である
ことを特徴とする請求項１に記載のホース視認ホルダ。
【請求項３】
前記ホース視認ホルダを前記ビールサーバーの外郭を成す筐体へ取り付けられるホルダ取り付け部を有する
ことを特徴とする請求項１または請求項２に記載のホース視認ホルダ。
【請求項４】
前記ホース視認ホルダは、前記筐体の前面に取り付けられる
ことを特徴とする請求項３に記載のホース視認ホルダ。
【請求項５】
請求項１から請求項４のうちの何れか一項に記載のホース視認ホルダを備えるビールサーバー。
【発明の詳細な説明】
【技術分野】
【０００１】
本発明は、ビールサーバーに送られるビールが流れるビールホースを保持するとともに視認するホース視認ホルダおよびこれを備えたビールサーバーに関する。
【背景技術】
【０００２】
従来、飲食店等でビール樽のビールをお客に提供する方式としては、ビール樽を冷蔵庫に格納して冷却する格納式と、ビール樽から圧送されたビールをビールサーバーで瞬間的に冷却する瞬冷式の２つの方式がある。
【０００３】
第１の格納式は、下記の特許文献１に記載されている。
特許文献１の飲料注出装置は、ビールが収容されたビール樽に、ボンベから例えば炭酸ガスを導入し、ガス圧力でビール樽内のビールをタップで開放した注出口から取り出すものである。
ビール樽は、樽冷蔵庫に格納され冷却されており、樽冷蔵庫には、ビール樽を出し入れするための扉が設けられている。
そのため、格納式の場合、飲料注出装置の使用中、ビールホースが樽冷蔵庫内に収納されており、ユーザから目視されることはない。
【０００４】
第２の格納式は、下記の特許文献２〜４に記載されている。
特許文献２の飲料自動注出装置は、ビヤ樽等の飲料容器から飲料を送るビールホースを、カウンター等の設置台の下方空間に設置した冷却槽内の冷却水に浸漬した飲料冷却管（冷却器）に接続する。そして、ビヤ樽に付与される炭酸ガスの圧力によりビールホースから飲料冷却管を通して冷却されて飲料供給管により供給されるビールを、注出コックを開栓して、ジョッキ等に注出する。
【０００５】
特許文献３のビール提供装置は、ビールが収容された生ビール樽に炭酸ガスボンベからホースを介して炭酸ガスが送られ、生ビール樽内のビールが、ホースを介してビールサーバーに炭酸ガスによって圧送される。そして、ビールサーバーのコックを開栓することで、ジョッキ等にビールが注がれる。
ところで、ビール樽に格納されるビールが少量になった場合に、ジョッキ等の容器への注入口からビールの泡が噴き出し、ビールがジョッキからこぼれたり、ビールの品質が劣化し美味しくなくなったりするという問題がある。いわゆる樽切れ時の「噴き」の問題がある。
【０００６】
樽切れ時の「噴き」を防止する方法としては、ビール樽とビールサーバーとを接続するビールホースにビール残量や泡を検知するセンサを配設し、或いは、ビール樽にビール残量や泡を検知するセンサを配設し、樽切れを感知する技術が知られている。
例えば、特許文献２では、ビールホースにビール残量や泡を検知する飲料切れを検知する飲料切れセンサが設けられ、樽切れを感知する。飲料切れセンサが飲料切れを検知すると電気制御部のコック駆動装置、電気制御回路が注出コックの弁を閉止するように制御する。
【０００７】
特許文献３では、生ビール樽の流出口に、ビールの残量を検知するセンサが設けられる。そして、最後のビールがホースのセンサ部を通過して時点で、センサのスイッチがオンとなり、電気回路の制御により警報機が作動される。
【先行技術文献】
【特許文献】
【０００８】
【特許文献１】特開２０１０−１１６１９０号公報(段落００２１、図１等)
【特許文献２】特開２００８−２２２２６７号公報(段落００１８、図１等)
【特許文献３】実用新案登録第３０９１４１９号公報(図１等)
【特許文献４】特開平５−３１９４８９号公報
【発明の概要】
【発明が解決しようとする課題】
【０００９】
ところで、樽切れ時の「噴き」は、前記のように、ビールのロスにつながり、また、ビールの品質を損ね美味しさが劣化するため、飲食店からも対応の要望が多い問題である。
しかしながら、特許文献２、３の技術は、センサや制御装置、配線等を設けるためのコストがかかるという問題があり、普及していない。
【００１０】
そのため、店員がビールを注ぐときに、ジョッキを注視しつつも、噴きにも注意しなければならなかった。よって、当業者においては、より簡便に樽切れを感知できる技術(噴きを事前に感知できる技術)が求められている。すなわち、より簡便に樽切れを感知できる技術のニーズがある。
【００１１】
本発明は上記実状に鑑み、構成が簡素でコストがかかることなく、確実に樽切れを感知できるホース視認ホルダおよびこれを備えたビールサーバーの提供を目的とする。
【課題を解決するための手段】
【００１２】
上記目的を達成すべく、第１の本発明に関わるホース視認ホルダは、ビールが収容されるビール樽からビールを容器に注ぐビールサーバーへビールを供給する透明又は半透明なビールホースを保持するとともに前記ビールホース内のビールの状態を視認するためのホース視認ホルダであって、前記ビールホースの背景として配置される暗色をもつホース背景部と、前記ビールホースを保持するホース保持部とを有している。
【００１３】
第２の本発明に関わるビールサーバーは、第１の本発明のホース視認ホルダを備えるビールサーバーである。
【発明の効果】
【００１４】
本発明によれば、構成が簡素でコストがかかることなく、確実に樽切れを感知できるホース視認ホルダおよびこれを備えたビールサーバーを実現できる。
【図面の簡単な説明】
【００１５】
【図１】本発明に係わる実施形態１のホースホルダの使用状態を示す斜視図。
【図２】実施形態１のビール供給装置の全体構成を示す要部一部切り欠き斜視図。
【図３】(ａ)はホースホルダの斜視図、(ｂ)は(ａ)のＡ−Ａ線断面図、(ｃ)は(ａ)のＢ−Ｂ線断面図。
【図４】(ａ)はビールサーバーでジョッキにビールを注いでいる状態を示す斜視図であり、(ｂ)はビールサーバーでジョッキにビールを注いでいる最中にビール樽のビールが枯渇した状態を示す斜視図。
【図５】実施形態２のホースホルダを裏面側から見た斜視図。
【図６】実施形態３のホースホルダをビールサーバーの筐体に取り付ける状態を示す斜視図。
【図７】実施形態４のホースホルダのビールサーバーの筐体へ取り付ける状態を示す斜視図。
【図８】実施形態５のホースホルダをビールサーバーの筐体へ取り付けた状態を示す斜視図。
【発明を実施するための形態】
【００１６】
以下、本発明の実施形態について添付図面を参照して説明する。
＜＜実施形態１＞＞
図１は、本発明に係わる実施形態１のホースホルダ１の使用状態を示す斜視図である。図２は、実施形態１のビール供給装置Ｓの全体構成を示す要部一部切り欠き斜視図である。  実施形態１で例示するビール供給装置Ｓ(図２参照)は、飲食店等で、ビールサーバー２でジョッキ９等に冷却したビールを注ぐ装置である。
【００１７】
実施形態１のホースホルダ(ホース視認ホルダ)１は、店員等のビール注ぎ者がジョッキ９等にビールを注ぎつつ、ホースホルダ１に保持される半透明なビールホース３内を流れるビールの状態を黒色の背景として目視(視認)する。そして、ホースホルダ１内の状態がビールｂから泡ａ(図４参照)に変化するのを、ビール注ぎ者が黒色のホースホルダ１を背景に目視(視認)して、ビール樽４(図２参照)内のビールが枯渇した(無くなった)ことを認識する。
【００１８】
図２に示すビール供給装置Ｓは、ジョッキ９等に冷却したビールを注ぐビールサーバー２と、ビールサーバー２に半透明なビールホース３を介してビールを供給するビール樽４と、ビール樽４にホース６を介して炭酸ガス(ＣＯ２)を供給してビール樽４内のビールｂをビールサーバー２に圧送するための炭酸ガスボンベ５とを備えている。
【００１９】
ビールサーバー２は、ビール樽４からビールホース３を介して供給されるビールを急冷(急速に冷却)する冷却管２ｃと、冷却管２ｃに接続されるビール注ぎ口２ｓを開栓または閉栓するコック８と、ビール注ぎ口２ｓからビールｂを注ぐジョッキ９等を載置する載置台２ｄとを有している。
ビールサーバー２の外郭を成す筐体７は、例えばステンレス鋼板を用いて形成されている。
【００２０】
ビールサーバー２の筐体７の右・左側面板７ｍ、７ｈにはそれぞれ、ビール樽４から延出されビールサーバー２内の冷却管２ｃに接続されるビールホース３が挿通されるホース挿通孔７ｍ１、７ｈ１が設けられている。ビール樽４から延出されるビールホース３は、ホース挿通孔７ｍ１、７ｈ１のうちの使い易い方の何れかからビールサーバー２の筐体７内に導入され冷却管２ｃに接続されることになる。なお、図１の二点鎖線は、ホースホルダ１をビールサーバー２の前面板７ｚの向かって左側に配置した場合を示している。
【００２１】
ビールサーバー２は、ビール樽４からビールホース３を介して供給されるビールｂが、冷却管２ｃ内を流されることで急冷(急速に冷却)され、コック８を倒すことで開栓され、冷えたビールがジョッキ９等に注がれる(図４(ａ)参照)。
ビール樽４からビールｂをビールサーバー２に供給するビールホース３は、半透明な可撓性のビニールホースである。なお、ビールホース３は半透明で内部を流れるビールを目視できれば、材質はビニル基をもつ化学成分(物質)が重合されるビニールに限定されない。また、ビールホース３の内部を流れるビールｂを目視できればビールホース３は透明であってもよい。
【００２２】
図３(ａ)はホースホルダ１の斜視図であり、図３(ｂ)は図３(ａ)のＡ−Ａ線断面図であり、図３(ｃ)は図３(ａ)のＢ−Ｂ線断面図である。
ホースホルダ１は、所定厚を有した矩形状のホルダベース部１ｂと、ホルダベース部１ｂ上に設けられビールホース３が保持される円筒形状のスペース(空間)が形成されるホース保持部１ｎと、ビールホース３をホース保持部１ｎへ入れる際の嵌入口である切り欠き部であるホース嵌入口１ｋとを有している。なお、ホース保持部１ｎのスペース(空間)は、ビールホース３が収まれば楕円柱状、多角形柱状等でもよく限定されない。
【００２３】
ホースホルダ１は、例えば、ＡＢＳ等の黒色の樹脂を用いて射出成形で形成される。或いは、金属を用いてダイカストで成形しても、鋳物で鋳鋼により形成してもよい。ホースホルダ１が黒色以外の色の樹脂の場合、黒色の顔料等を用いて黒色にされる。また、黒色以外の金属の場合、黒色塗装が施される。ホースホルダ１の材質は、特に限定されないが、後記の磁石１ｊ等で固定されるため、(合成)樹脂、比重が軽い金属等の軽量の材料が望ましい。
なお、ホースホルダ１は、一体物でなく、２つ以上の部材を弾性変形や圧入、溶接等で組み合わせて構成してもよい。
【００２４】
ホースホルダ１のホルダベース部１ｂの裏面側には、凹状の磁石装着孔１ｂ１が形成されており、磁石装着孔１ｂ１には磁石１ｊが嵌入され接着等で固着されている。磁石１ｊは、フェライト、コバルト、ニッケル等の強磁性体等の磁石が好ましいが、特に限定されない。
【００２５】
次に、ホースホルダ１の使用方法について説明する。
まず、ビール注ぎ者が、図１に示すように、ホースホルダ１をその裏面側に設けた磁石１ｊの磁力によってビールサーバー２のステンレス製の筐体７の前面板７ｚに、磁力により吸着し取り付ける。
そして、ビール注ぎ者は、ホース挿通孔７ｍ１を通してビールサーバー２内の冷却管２ｃに接続されるビールホース３を、ホースホルダ１のホース保持部１ｎにホース嵌入口１ｋから弾性変形して嵌入し、保持する。
【００２６】
図４(ａ)は、ビールサーバー２でジョッキ９にビールｂを注いでいる状態を示す斜視図であり、図４(ｂ)は、ビールサーバー２でジョッキ９にビールｂを注いでいる最中にビール樽４のビールが枯渇した状態を示す斜視図である。
【００２７】
図４(ａ)に示すように、ジョッキ９をビールサーバー２のビール注ぎ口２ｓの下方に載置し、コック８を倒して、ビール注ぎ口２ｓからビールｂをジョッキ９に注ぐ。この際、ビール樽４(図２参照)内にビールｂが充分ある場合には、ビール注ぎ者は、ホースホルダ１のホース保持部１ｎに保持される半透明なビールホース３を透過して、ビールホース３内を流れる黄金色のビールｂを目視することができる。
【００２８】
その後、時間が経過し、ビール樽４(図２参照)内にビールｂが無くなった(枯渇した)場合には、ホースホルダ１のホース保持部１ｎに保持されるビールホース３内を流れるビールｂが、図４(ｂ)に示すように、白色の泡ａに変化する。この際、ホースホルダ１のホース保持部(ホース背景部)１ｎやホルダベース部(ホース背景部)１ｂが黒色をもって形成されるので、ビール注ぎ者は、半透明なビールホース３を透過して、ビールホース３内の白色の泡ａを鮮明かつ明瞭に目視(視認)して、ビール樽４内のビール切れの状態を確実に認識することができる。ちなみに、「噴き」が生じる前に、ビールホース３内を白色の泡ａが走る。
従来は、ホース挿通孔７ｍ１、７ｈ１が側面(右・左側面板７ｍ、７ｈ)にあることからビールホース３が正面から見えにくかった。そのため、樽切れ時の「噴き」を予防することは困難であった。
【００２９】
実施形態１によれば、ビールホース３を固定するためのホースホルダ１をビールサーバー２に配置し、ホースホルダ１のホース保持部１ｎ、ホルダベース部１ｂを黒色にすることで、ビールホース３内に泡ａが走った際に鮮明かつ明確に認識できる。
すなわち、ホース背景部のホース保持部１ｎ、ホルダベース部１ｂが黒色のため、ビールホース３内の黄金色のビールｂの白色の泡ａへの変化の視認性(目視確認性)が格段に向上する。また、ホースホルダ１は磁石１ｊ付きとするので、設置環境によらず、ビールホース３をビール注ぎ者の視認性の高い(目視し易い)箇所に引っ張ることができる。
【００３０】
樽切れの瞬間(ビール樽４(図２参照)内にビールｂが無くなった瞬間)にはビールホース３内に白色の泡ａが走るため、これを確実に視認できるので、事前に樽切れ(ビール樽４内にビールｂが無くなったこと)を感知できる。そのため、樽切れの視認性が向上し、「噴き」の防止につながる。
従って、安価な装置で、樽切れを感知でき、低コストのホースホルダ１を得られる。
【００３１】
＜＜実施形態２＞＞
図５は、実施形態２のホースホルダ１１を裏面側から見た斜視図である。
実施形態２では、実施形態１と同様なホース保持部１１ｎを有するホースホルダ１１の取り付け部を、実施形態１の磁石１ｊに代替して、ホースホルダ１１の裏面に、中央部が凹んだ円錐状の可撓性をもつ弾性体の吸盤１１ｋ、１１ｋとしたものである。吸盤１１ｋは、例えば、ニトリルゴム、シリコーンゴム、ポリウレタンゴム等のゴム等で形成される。
【００３２】
なお、吸盤１１ｋの吸着面に粘着層(接着層)を設けると固着力が高まるのでより望ましい。
その他のホースホルダ１１の構成は、実施形態１のホースホルダ１と同様であるから、実施形態１のホースホルダ１の符号に１０番台の符号を付して示し、詳細な説明を省略する。
【００３３】
実施形態１の構成によっても、ホースホルダ１１を、その裏面の吸盤１１ｋ、１１ｋによって、図１に示すビールサーバー２の筐体７の前面板７ｚ、左・右側面板７ｍ、７ｈ等の任意の箇所に固定することができる。
そのため、実施形態１と同様な作用効果を得られる。
なお、吸盤１１ｋ、１１ｋをゴムで形成することで、低コスト化が可能である。
【００３４】
＜＜実施形態３＞＞
図６は、実施形態３のホースホルダ２１をビールサーバー２の筐体７に取り付ける状態を示す斜視図である。
実施形態３のホースホルダ２１は、実施形態１の磁石１ｊに代替する構成を提示するものである。
すなわち、ホースホルダ２１のホルダベース部２１ｂに、ホースホルダ２１をビールサーバー２の筐体７に取り付ける雄ネジｎ、樹脂製の取り付けピンｐ等を挿通させる挿通孔２１ａ、２１ａが穿孔される。その他のホースホルダ２１の構成は、実施形態１のホースホルダ１と同様であるから、実施形態１のホースホルダ１の符号に２０番台の符号を付して示し、詳細な説明を省略する。
【００３５】
ビールサーバー２の筐体７には、バーリング加工等で雌ネジ(図示せず)が形成されたり、ピンｐが挿入される取り付け孔(図示せず)が穿孔される。
ホースホルダ２１を雄ネジｎでビールサーバー２の筐体７に取り付けるに際しては、雄ネジｎをホースホルダ２１の挿通孔２１ａ、２１ａにそれぞれ挿通して、ビールサーバー２の筐体７の雌ネジに螺着することで取り付けられる。
【００３６】
一方、取り付けピンｐは、弾性変形部ｐ１を有しており、弾性変形部ｐ１はビールサーバー２の筐体７の取り付け孔に挿入されると、中央側に向けて変形し窄まり、筐体７の取り付け孔内で外方に開いて復元する構成である。
この構成により、取り付けピンｐの弾性変形部ｐ１をホースホルダ２１の挿通孔２１ａ、２１ａにそれぞれ挿通し、ビールサーバー２の筐体７の取り付け孔(図示せず)に挿入し、弾性変形部ｐ１が筐体７の取り付け孔内で外方に復元することで、ホースホルダ２１がビールサーバー２の筐体７に取り付けられる。
【００３７】
実施形態３の構成によれば、ホースホルダ２１が雄ネジｎや取り付けピンｐ等でビールサーバー２の筐体７に確実に固着され、衝撃を受けて落下することが抑制される。
また、実施形態１の作用効果は同様に奏する。
なお、ホースホルダ２１を樹脂で成形し、取り付けピンｐをホースホルダ２１の裏面に一体に成形すれば、製造コストが低減され、組み付け作業が容易になるのでより好ましい。
【００３８】
＜＜実施形態４＞＞
図７は、実施形態４のホースホルダ３１のビールサーバー２の筐体７へ取り付ける状態を示す斜視図である。
実施形態４のホースホルダ３１は、実施形態１の磁石１ｊに代替した構成である。
【００３９】
実施形態４では、ホースホルダ３１の裏面に先端が(組み付け時)下向きのＬ字状の係合突出部３１ｔ、３１ｔを設ける。そして、ビールサーバー２の筐体７の前面板７ｚに穿孔した被係合孔７ｚ１、７ｚ１に係合突出部３１ｔ、３１ｔを挿入して被係合孔７ｚ１、７ｚ１の下方に係合させて、ホースホルダ３１をビールサーバー２の前面板７ｚに取り付けるものである。
その他のホースホルダ３１の構成は、実施形態１のホースホルダ１と同様であるから、実施形態１のホースホルダ１の符号に３０番台の符号を付して示し、詳細な説明を省略する。
【００４０】
実施形態４の構成によれば、ホースホルダ３１が係合突出部３１ｔ、３１ｔでビールサーバー２の筐体７に確実に係合され、衝撃を受けて落下することが抑制される。
実施形態１の作用効果は同様に奏する。
なお、ホースホルダ３１を樹脂、金属等で成形し、係合突出部３１ｔ、３１ｔをホースホルダ３１の裏面に一体に成形すれば、製造コストが低減され、組み付け性が高まるのでより好ましい。
【００４１】
＜＜実施形態５＞＞
図８は、実施形態５のホースホルダ４１をビールサーバー２の筐体７へ取り付けた状態を示す斜視図である。
実施形態５のホースホルダ４１は、実施形態１の磁石１ｊに代替する構成を提示するものである。
【００４２】
実施形態５のホースホルダ４１は、ビールサーバー２の前面板７ｚにビールホース３を把持する１８０度未満の角度切り欠かれた円弧状の把持部４１ａ１を有する一対の把持部材４１ａ、４１ａと、ビールホース３が配置される領域に黒色のホース背景部４１ｂとを設けたものである。
一対の把持部４１ａ１を有する把持部材４１ａは、ビールサーバー２の筐体７の前面板７ｚに設けた取り付け孔(図示せず)、取り付け用の雌ネジにそれぞれ、弾性変形、ネジ止め等で上下に固着される。把持部材４１ａは、(合成)樹脂、金属等で構成される。
【００４３】
ホースホルダ４１を構成する黒色のホース背景部４１ｂはゴム、(合成)樹脂等でシート状に形成され、ビールホース３が配置される領域に貼着(接着層、粘着層で貼着)、弾性変形等で固着される。
そして、可撓性を有する半透明なビールホース３が黒色のホース背景部４１ｂを背景として、上下の把持部材４１ａの把持部材４１ａに弾性変形して取着される。
【００４４】
実施形態５によれば、ホースホルダ４１は、一対の把持部材４１ａとホース背景部４１ｂとで構成されるので、ビールサーバー２に予め取り付けて出荷することも可能である。また、簡単な構成であるので、部品コスト、組立てコスト等の製造コストが低廉である。
なお、ホース背景部４１ｂは、黒色の幅広の粘着テープを貼着して構成してもよいし、ビールサーバー２の前面板７ｚに塗料等で黒色の領域を設けて形成してもよい。
なお、把持部材４１ａは、２つの場合を例示したが、ビールホース３内の状態が良好かつ鮮明に目視でき、ビールホース３を確実に保持できれば、１つまたは３つ以上としてもよく限定されない。
【００４５】
実施形態１〜５で詳述したように、ホースホルダのビールサーバー２への取り付け法は、限定されない。
しかし、ホースホルダのビールサーバー２への取り付けは、実施形態１、２で例示したホースホルダ１、１１に固着した磁石１ｊ、吸盤１１ｋ等(図３、図５参照)で行うとビールサーバー２の場所を選ばず取り付けられる。さらに、ビールサーバー２に取り付け構成を設ける必要がないというメリットがある。
【００４６】
なお、前記実施形態では、ホースホルダが黒色の場合を例示したが、ビール樽４のビール枯渇時にビールホース３内に目視される黄金色のビールｂから白色の泡ａへの変化を明確かつ鮮明に目視(視認)できれば、ホースホルダ１のホース背景部(ホルダベース部１ｂ、ホース保持部１ｎ)の色は黒色以外のこげ茶色、黒褐色、暗黒色等の暗色(暗い色)でも構わない。なお、ホースホルダ１のホース保持部１ｎが、黒色以外のこげ茶色、黒褐色、暗黒色等の暗色(暗い色)でも構わない。
しかしながら、黒色は、黄金色のビールｂから白色の泡ａへの変化を明瞭かつ鮮明に視認できるので、最も望ましい。色は、光沢でも艶消しでも、泡ａを視認できるものであればよい。
【００４７】
また、前記実施形態では、ホースホルダのビールサーバー２への取り付け箇所は、ビールサーバー２の前面板７ｚに取り付けた場合を例示したが、ビール注ぎ者が目視し易ければビールサーバー２の側面板部７ｍ、７ｈ等の前部でもよく、ホースホルダのビールサーバー２への取り付け箇所は任意に選択可能であることは勿論である。
【００４８】
なお、前記実施形態では、ホースホルダのホース背景部(ホルダベース部、ホース保持部等)を様々な方法で取り付ける場合を例示したが、例示した方法に代替してホースホルダのホース背景部の裏面側を平らに形成し、ビールサーバー２の筐体７に接着で取着してもよいし、両面テープで取着するように構成してもよい。つまり、ホースホルダを接着層や粘着層を介してビールサーバー２の筐体７に取り付けてもよい。
【符号の説明】
【００４９】
１、１１、２１、３１、４１  ホースホルダ(ホース視認ホルダ)
１ｂ、１１ｂ、２１ｂ、３１ｂ  ホルダベース部(ホース背景部)
１ｊ    磁石(ホルダ取り付け部)
１ｎ、１１ｎ、２１ｎ、３１ｎ  ホース保持部(ホース背景部)
２      ビールサーバー
３      ビールホース
４      ビール樽
７      筐体
７ｚ    ビールサーバーの前面板(ビールサーバーの筐体の前面)
７ｚ１  被係合孔(被係合部)
９      ジョッキ(容器)
１１ｋ  吸盤(ホルダ取り付け部)
２１ａ  挿通孔(ホルダ取り付け部)
３１ｔ  係合突出部(ホルダ取り付け部)
４１ａ  把持部材(ホース保持部、ホース把持部)
４１    ホース背景部
ｎ      雄ネジ
ｐ      取り付けピン(取り付け部材)
【図１】
0005758685.tif 000002
【図２】
0005758685.tif 000003
【図３】
0005758685.tif 000004
【図４】
0005758685.tif 000005
【図５】
0005758685.tif 000006
【図６】
0005758685.tif 000007
【図７】
0005758685.tif 000008
【図８】
0005758685.tif 000009